(57)【要約】      （修正有）【課題】歩度の再調整を行う必要がなく、回転バランス性及び回転性能を低下させない、簡便且つ高精度に慣性モーメントの温度補正を行うことができるてんぷ、およびてんぷの製造方法を提供する。【解決手段】回転可能に軸支されるてん真４１と、一方の端部がてん真４１と径方向に連結する連結アーム５１に固定された固定端部であり、他方が径方向に変形可能な自由端部であるてん輪４２と、を備えるてんぷ４０であって、てん輪４２は、径方向内側にあって連結アーム５１に固定される第１リム５４と、第１リム５４の外周に重なるように配置され、第１リム５４とは線膨張係数の異なる材料からなる第２リム５５とを備え、第１リム５４と前記第２リム５５とは互いに離間する複数の拘束部により相対的に拘束されている。【選択図】図２
2014142325.tif 000002
【特許請求の範囲】
【請求項１】
回転可能に軸支されるてん真と、前記てん真の周囲に配置され、一方の端部が前記てん真と径方向に連結する連結アームに固定された固定端部であり、他方の端部が径方向に変形可能な自由端部であるてん輪と、を備えるてんぷにおいて、
前記てん輪は、径方向内側にあって前記連結アームに固定される第１リムと、
該第１リムの外周に重なるように配置され、前記第１リムとは線膨張係数の異なる材料からなる第２リムとを備え、
前記第１リムと前記第２リムとは互いに離間する複数の拘束部により相対的に拘束されていることを特徴とするてんぷ。
【請求項２】
前記てん輪は、前記拘束部の互いの離間間隔が所定の間隔になるよう形成されており、前記所定間隔により前記自由端部の移動量が設定されていることを特徴とする請求項１に記載のてんぷ。
【請求項３】
前記てん輪の回転動力を蓄えるひげぜんまいを更に有し、前記所定間隔は、温度変化に伴う前記ひげぜんまいのばね係数の変化率に応じて設定されることを特徴とする請求項２に記載のてんぷ。
【請求項４】
前記てん輪は、前記てん真回りに周方向に分割される第１円弧部と第２円弧部とを有し、前記第１円弧部において前記複数の拘束部が離間される間隔は、前記第２円弧部において前記複数の拘束部が離間される間隔と異なることを特徴とする請求項１から請求項３のいずれか１項に記載のてんぷ。
【請求項５】
動力源を有する香箱車と、前記香箱車の回転力を伝達する輪列と、前記輪列の回転を制御する脱進調速機構とを有し、前記脱進調速機構は請求項１乃至４のいずれか１項に記載のてんぷが備えられる時計用ムーブメント。
【請求項６】
請求項５の時計用ムーブメントを有する時計。
【請求項７】
一方の端部がてん真と径方向に連結する連結アームに固定された固定端部とし、他方の端部が径方向に変形可能な自由端部とするようにてん輪を形成するてんぷの製造方法であって、
前記連結アームに固定される第１リムと、前記第１リムの外周に重なるように配置され前記第１リムとは線膨張係数の異なる材料からなる第２リムとを互いに離間する複数の拘束部により相対的に拘束し、前記拘束部の互いの離間間隔を調整することで前記自由端部の変形量を調整するてん輪調整工程を有することを特徴とするてんぷの製造方法。
【発明の詳細な説明】
【技術分野】
【０００１】
本発明は、てんぷ、これを具備する時計用ムーブメント、時計、およびてんぷの製造方法に関するものである。
【背景技術】
【０００２】
機械式時計の調速機としては、一般的にてんぷ及びひげぜんまいで構成されている。このうちてんぷは、てん真及び該てん真に固定されたてん輪を備え、てん真の回転軸回りに周期的に正逆回転して振動する部材とされている。この際、てんぷの振動周期は予め決められた規定値内に設定されていることが重要とされている。仮に、振動周期が規定値からずれてしまうと、機械式時計の歩度（時計の遅れ、進みの度合い）が変化するためである。ところが、上記振動周期は各種の原因によって変化し易く、例えば温度変化によっても変化してしまう。
ここで、上記振動周期Ｔは、次式（１）で表される。
【０００３】
【数１】
2014142325.tif 000003
【０００４】
上記式（１）において、Ｉは「てんぷの慣性モーメント」、Ｋは「ひげぜんまいのばね定数」を示す。従って、てんぷの慣性モーメント、又はひげぜんまいのばね定数が変化すると、振動周期も変化してしまう。
【０００５】
ここで、てんぷに用いられる金属材料としては、一般的に線膨張係数が正の材料とされており、温度上昇によって膨張する。そのため、てん輪が拡径し、慣性モーメントを増加させてしまう。また、ひげぜんまいに一般的に用いられる鋼材料のヤング率は負の温度係数を有しているため、温度上昇によってばね定数を低下させてしまう。
【０００６】
以上のことにより、温度上昇すると、これに伴って慣性モーメントが増加し且つひげぜんまいのばね定数が低下することとなる。従って、上記式（１）から明らかなように、てんぷの振動周期は、低温で短く、高温で長くなる特性となってしまう。そのため、時計の温度特性としては、低温で進み、高温で遅れるという特性になってしまうものであった。
そこで、てんぷの振動周期の温度特性を改善するための対策として、下記の２つの方法が知られている。
【０００７】
第１の方法としては、ひげぜんまいの材料としてコエリンバー等の恒弾性材料を採用することにより、時計の使用温度範囲（例えば、２３℃±１５℃）付近でのヤング率の温度係数を正の特性とする方法である。これにより、上記使用温度範囲内において、温度に対するてんぷの慣性モーメントの変化をキャンセルすることができ、てんぷの振動周期の温度依存性を低く抑えることが可能となる。
【０００８】
第２の方法としては、てん輪を構成するリム部の一部に、周方向の一端部が固定端、周方向の他端部が自由端とされ、熱膨張率が異なる材料からなる金属板を径方向に接合したバイメタルを用いる方法が知られている（非特許文献１参照）。
【０００９】
上記バイメタルのうち、例えば径方向内側に位置する金属板の材料としてはインバー等の低熱膨張材料を用い、径方向外側に位置する金属板の材料としては黄銅等の高熱膨張材料を用いる。こうすることで、温度上昇時、バイメタルは熱膨張率の差異により自由端側が径方向の内側に向けて移動するように内向き変形する。これにより、リム部の平均径を縮径させて慣性モーメントを低下させることができ、慣性モーメントの温度特性に負の傾きを持たせることができる。その結果、てんぷの振動周期の温度依存性を低く抑えることが可能となる。
【先行技術文献】
【非特許文献】
【００１０】
【非特許文献１】スイス時計大学偏、「時計学理論（The Theory of Horology）」、英語版第２版、２００３年４月、ｐ１３６−１３７
【発明の概要】
【発明が解決しようとする課題】
【００１１】
しかしながら、上記した第１の方法では、コエリンバー等の恒弾性材料でひげぜんまいを作製する際、溶解時における組成や熱処理等の各種加工条件によってヤング率の温度係数が大きく変化する恐れがある。従って、厳密な製造管理工程が必要とされ、ひげぜんまいの製造が容易ではなかった。よって、時計の使用温度範囲付近においてヤング率の温度係数を正にすることが難しい場合があった。
【００１２】
また、上記した第２の方法では、バイメタルを用いたとしても、温度に対する変形量を微調整したり、全体のバランス等を微調整したりする必要があり、実際にはリム部に複数のチラねじを取り付け、これらチラねじの取付位置や捩じ込み量を調整する作業が必要とされる。例えば、温度が上昇しても時計の遅れが生じるようならば、自由端側にチラねじを移し変える等の作業を行って、慣性モーメントを補正する工程を行う。
【００１３】
このように、実際にはチラねじを利用した微調整作業が必要になるので、温度補正に手間及び時間がかかり、作業性が悪かった。しかも、再調整する場合に、各チラねじの捩じ込み量を変化させたりすると全体の慣性モーメントも変化してしまい、てんぷの振動周期すなわち時計の歩度も変化してしまうため、歩度の調整が再度必要になるので作業が煩雑であった。
【００１４】
また、チラねじが周方向にバランス良く配置されない場合もあり、てんぷの回転バランス性が低下することがあった。
【００１５】
本発明は、このような事情に考慮してなされたもので、その目的は、歩度の再調整を行う必要がなく、回転バランス性及び回転性能を低下させない、簡便且つ高精度に温度補正を行うことができるてんぷ、これを具備する時計用ムーブメント、時計、およびてんぷの製造方法を提供することである。
【課題を解決するための手段】
【００１６】
本発明は、前記課題を解決するために以下の手段を提供する。
（１）本発明に係るてんぷは、回転可能に軸支されるてん真と、前記てん真の周囲に配置され、一方の端部が前記てん真と径方向に連結する連結アームに固定された固定端部であり、他方が径方向に変形可能な自由端部であるてん輪と、を備えるてんぷであって、前記てん輪は、径方向内側にあって前記連結アームに固定される第１リムと、該第1リムの外周に重なるように配置され、前記第1リムとは線膨張係数の異なる材料からなる第2リムとを備え、前記第1リムと前記第2リムとは互いに離間する複数の拘束部により相対的に拘束されていることを特徴とする。
【００１７】
本発明に係るてんぷによれば、温度変化が生じると、第1リムと第2リムとの熱膨張率に差異があり、複数の拘束部により互いの相対移動を拘束されていることによって、てん輪の自由端部を径方向の内側又は外側に向かって移動させることができる。これにより、てん輪の自由端部から回転軸までの距離を変化させることができ、てんぷ自体の慣性モーメントを変化させることができる。これにより、慣性モーメントの温度特性の傾きを変化させることができ、てんぷの振動周期の温度依存性を抑制できるため、温度変化によって歩度が変化し難い高品質なてんぷとすることができる。
【００１８】
（２）上記本発明に係るてんぷにおいて、前記拘束部の互いの離間間隔が所定の間隔になるよう形成されており、前記所定間隔により前記自由端部の移動量が設定されていることを特徴とする。
この場合には、あらかじめ必要な慣性モーメントの温度特性の傾きになるよう離間間隔を形成することにより、てん輪の自由端部の移動量が設定されるため、簡便に温度補正量を設定することができる。離間間隔の調整により温度に対する自由端部の移動量を変化させることができるため、ひげぜんまいの温度特性のばらつきやてん輪の自由端部の変形量のばらつきに合わせて微調整することができ、温度補正作業を効率良く且つ高精度に行い易い。また、離間間隔の調整により間隔の大小が発生したとしても、回転バランス性を低下させることがなく、優れた回転性能を確保し易い。更に、離間間隔の調整を行ってもてんぷの慣性モーメント自体は変化しにくいため、歩度の再調整を必須としない。
【００１９】
（３）上記本発明に係るてんぷにおいて、前記てん輪の回転動力を蓄えるひげぜんまいを更に有し、前記所定間隔は、温度変化に伴う前記ひげぜんまいのばね定数の変化率に応じて設定されることを特徴とする。
この場合には、組み合わされるひげぜんまいのばね定数の温度特性の傾きに合わせて、てんぷの自由端部の移動量を設定することができ、より正確な温度補正を行うことができる。
【００２０】
（４）本発明に係るてんぷは、てん輪が、てん真回りに周方向に分割される第１円弧部と第２円弧部とを有し、第１円弧部において複数の拘束部が離間される間隔が、第２円弧部において複数の拘束部が離間される間隔と異なることを特徴とする。
本発明に係るてんぷによれば、拘束部間の間隔を、周方向に分割される円弧部のそれぞれにおいて別個に調整できることで、自由端の変形量における円弧部同士のバラツキを抑制することができ、変形量のバラツキによる回転バランスの劣化を防止できるようになる。
【００２１】
（５）本発明に係る時計用ムーブメントは、動力源を有する香箱車と、前記香箱車の回転力を伝達する輪列と、前記輪列の回転を制御する脱進調速機構とを有し、調速機構には上記本発明に係るてんぷを備えていることを特徴とする。
本発明に係る時計用ムーブメントによれば、上述したように振動周期の温度依存性が抑制され、温度変化によって歩度が変化し難いてんぷを具備しているので、誤差の少ない高品質な時計用ムーブメントとすることができる。
【００２２】
（６）本発明に係る時計は、上記本発明に係る時計用ムーブメントを備えていることを特徴とする。
本発明に係る時計によれば、温度変化によって歩度が変化し難い時計用ムーブメントを具備しているので、誤差の少ない高品質な時計とすることができる。
【００２３】
（７）本発明に係るてんぷの製造方法は、一方の端部がてん真と径方向に連結する連結アームに固定された固定端部とし、他方の端部が径方向に変形可能な自由端部とするようにてん輪を形成するてんぷの製造方法であって、連結アームに固定される第１リムと、第１リムの外周に重なるように配置され第１リムとは線膨張係数の異なる材料からなる第２リムとを互いに離間する複数の拘束部により相対的に拘束し、拘束部の互いの離間間隔を調整することで自由端部の変形量を調整することを特徴とする。
【００２４】
本発明に係るてんぷの製造方法によれば、離間間隔の調整により温度に対する自由端部の移動量を変化させることができるため、ひげぜんまいの温度特性のばらつきやてん輪の自由端部の変形量のばらつきに合わせて微調整することができ、温度補正作業を効率良く且つ高精度に行い易い。また、離間間隔の調整により間隔の大小が発生したとしても、回転バランス性を低下させることがなく、優れた回転性能を確保し易い。更に、離間間隔の調整を行ってもてんぷの慣性モーメント自体は変化しにくいため、歩度の再調整を必須としない。
【発明の効果】
【００２５】
本発明によれば、線膨張率差を利用して温度補正するてんぷにおいて、歩度の再調整を行う必要がなく、回転バランス性及び回転性能を低下させることなく、簡便且つ高精度に温度補正作業を行うことができる
【図面の簡単な説明】
【００２６】
【図１】本発明に係る第１実施形態を示す図であって、機械式時計のムーブメントの構成図である。
【図２】図１に示すムーブメントを構成するてんぷの上面図である。
【図３】図２に示すＡ−Ａ断面図である。
【図４】図２に示すてんぷの変形例を示す図である。
【図５】図２に示すてんぷの拘束部の離間間隔と変形量の関係を示す図である。
【図６】図２に示すてんぷの慣性モーメントの補正量の調整方法を示す図である。
【図７】図６に示すてんぷの歩度の温度特性を示す図である。
【発明を実施するための形態】
【００２７】
以下、本発明に係る実施形態について図面を参照して説明する。
図１に示すように、本実施形態の機械式時計１は、例えば腕時計であって、ムーブメント（時計用ムーブメント）１０と、このムーブメント１０を収納する図示しないケーシングと、により構成されている。
【００２８】
（ムーブメントの構成）
このムーブメント１０は、基板を構成する地板１１を有している。この地板１１の裏側には図示しない文字板が配されている。なお、ムーブメント１０の表側に組み込まれる輪列を表輪列と称し、ムーブメント１０の裏側に組み込まれる輪列を裏輪列と称する。
【００２９】
上記地板１１には、巻真案内穴１１ａが形成されており、ここに巻真１２が回転自在に組み込まれている。この巻真１２は、おしどり１３、かんぬき１４、かんぬきばね１５及び裏押さえ１６を有する切換装置により、軸方向の位置が決められている。また、巻真１２の案内軸部には、きち車１７が回転自在に設けられている。
【００３０】
このような構成のもと、巻真１２が、回転軸方向に沿ってムーブメント１０の内側に一番近い方の第１の巻真位置（０段目）にある状態で巻真１２を回転させると、図示しないつづみ車の回転を介してきち車１７が回転する。そして、このきち車１７が回転することにより、これと噛合う丸穴車２０が回転する。そして、この丸穴車２０が回転することにより、これと噛合う角穴車２１が回転する。更に、この角穴車２１が回転することにより、香箱車２２に収容された図示しないぜんまい（動力源）を巻き上げる。
【００３１】
ムーブメント１０の表輪列は、上記香箱車２２の他に、二番車２５、三番車２６及び四番車２７により構成されており、香箱車２２の回転力を伝達する機能を果している。また、ムーブメント１０の表側には、表輪列の回転を制御するための脱進機構３０及び調速機構３１が配置されている。
【００３２】
二番車２５は、香箱車２２に噛合う歯車とされている。三番車２６は、二番車２５に噛合う歯車とされている。四番車２７は、三番車２６に噛合う歯車とされている。
【００３３】
脱進機構３０は、上記した表輪列の回転を制御する機構であって、四番車２７と噛み合うがんぎ車３５と、このがんぎ車３５を脱進させて規則正しく回転させるアンクル３６と、を備えている。
調速機構３１は、上記脱進機構３０を調速する機構であって、図１〜図３に示すように、てんぷ４０を具備している。
【００３４】
（てんぷの構成）
調速機構３１を構成するてんぷ４０は、回転軸Ｏ回りに回転可能に軸支されるてん真４１と、該てん真４１に固定されたてん輪４２と、を備え、脱進機構３０から伝えられた動力によりひげぜんまい４３に蓄えられた位置エネルギーによって、回転軸Ｏ回りに一定の振動周期で正逆回転させられる部材とされている。
なお、本実施形態では、上記回転軸Ｏに直交する方向を径方向、回転軸Ｏ回りに周回する方向を周方向という。
【００３５】
上記てん真４１は、回転軸Ｏに沿って上下に延在した回転軸体であり、上端部及び下端部が図示しない地板やてんぷ受等の部材によって軸支されている。てん真４１における上下方向の略中間部分は、径が最も大きい大径部４１ａとされている。そして、この大径部４１ａを介して上記てん輪４２がてん真４１に固定されている。
【００３６】
また、てん真４１には、大径部４１ａの下方に位置する部分に筒状の振り座４５が回転
軸Ｏと同軸に外装されている。この振り座４５は、径方向の外側に向けて突設された環状の鍔部４５ａを有しており、該鍔部４５ａに前記アンクル３６を揺動させるための振り石４６が固定されている。
【００３７】
上記ひげぜんまい４３は、例えば一平面内で渦巻状に巻かれた平ひげであって、ひげ玉４４を介してその内端部がてん真４１における大径部４１ａの上方に位置する部分に固定されている。そして、このひげぜんまい４３は、前記４番歯車２７から前記がんぎ車３５に伝えられた動力を蓄え、てん輪４２を振動させる役割を果している。
【００３８】
上記てん輪４２は、図２及び図３に示すように、てん真４１を径方向の外側から囲む略環状のリム５０と、該リム５０とてん真４１とを径方向に連結する連結アーム５１と、を備えている。
【００３９】
上記リム５０は、周方向に沿って１／３円弧状に延在した帯状片であり、回転軸Ｏ回りに回転対称に均等配置されている。また、リム５０は、径方向内側に配置される第１リム５４と、該第1リム５４に沿って径方向外側に配置される第２リム５５とからなる。
【００４０】
連結アーム５１は、回転軸Ｏ回りに１２０度の間隔を開けて配置されている。そして、連結アーム５１は、その基端側がてん真４１の大径部４１ａに連結され、その先端側が上記したリム５０に向かって径方向の外側に向けて延在している。
【００４１】
そして、リム５０の固定端部５０ａにおいて、第1リム５４と連結アーム５１の先端側が連結されている。これにより、リム５０は、連結アーム５１を介しててん真４１に支持されている。
上記リム５０の周方向のもう一端側は、径方向に変形可能な自由端部５０ｂとされており、該自由端部５０ｂの先端側には錘５２が取り付けられている。
【００４２】
上記リム５０の第１リム５４と第２リム５５は、一定の間隔ａを空けて複数の拘束部５３がもうけられることにより、かかる拘束部５３付近における互いの相対移動が拘束されている。なお、図２では、リム５０を周方向に沿って分割した帯状片において、それぞれの帯状片（第１円弧部４０ａ、第２円弧部４０ｂ、第３円弧部４０ｃ）における複数の拘束部５３の間隔を間隔ａ、間隔ｂ、間隔ｃと記載している。以下では、全ての帯状片において間隔ａを空けて複数の拘束部５３がもうけられる（つまり、間隔ａ、間隔ｂ、及び間隔ｃが全て等しい）場合について説明する。
【００４３】
拘束部５３は、例えば抵抗スポット溶接やレーザー溶接等により形成されており、第１リム５４と第２リム５５とが相対的に離間やスライド移動するのを拘束している。
なお、上記第１リム５４は、前記第２リム５５と線膨張係数が異なる材料から構成されている。
【００４４】
本実施形態では、第１リム５４がインバー等の低熱膨張材料で形成され、第２リム５５がステンレス等の第１リム５４よりも高熱膨張材料で形成されているものとして説明する。従って、周囲の温度が上昇した場合には、図４に示すように、第２リム５５は第１リム５４よりも周方向に大きく膨張する。これにより、リム５０の自由端部５０ｂは径方向内側へ移動することになる。これに伴い、自由端部５０ｂの先端に取り付けられた錘５２も径方向内側へ移動する。
【００４５】
なお、本実施形態のひげぜんまい４３は、温度上昇に伴いヤング率が低下する負の温度係数を有する一般的な鋼材料からなるものとして説明する。
なお、第１リム５４および第２リム５５の材料としては、上記材料に限定されるものではなく、種々の材料を適宜選択して用いても構わない。この際、できるだけ熱膨張率に大きな差が生じるように両者の材料を選択することが好ましい。
【００４６】
また、本実施形態では、拘束部５３はリム５０の上面および下面に形成したが、これに限定されるものではなく、リム５０の上面と下面の中間位置にあっても良い。この場合は、例えばリム５０の外周側面にレーザーを照射して第１リム５４と第２リム５５とを重ね合せ溶接することで、拘束部５３を形成することができる。
【００４７】
（慣性モーメントの温度補正方法）
次に、上記したてんぷ４０を利用した、慣性モーメントの温度補正方法について説明する。
本実施形態のてんぷ４０によれば、温度変化が生じると、第２リム５５は第１リム５４よりも大きく膨張・収縮することによって自由端部５０ｂを径方向へ移動させることができる。即ち、図４に示すように、温度上昇した場合には、第２リム５５の膨張により自由端部５０ｂを径方向の内側に向けて移動させることができ、温度低下した場合には、その逆に径方向の外側に向けて移動させることができる。
【００４８】
そのため、自由端部５０ｂの先端に取り付けられた錘５２の位置を径方向の内側あるいは外側に移動させることで、回転軸Ｏから錘５２までの距離を変化させててんぷ４０自体の慣性モーメントを変化させることができる。つまり、温度上昇した場合には、錘５２の位置を径方向内側へ移動させて慣性モーメントを小さくすることができ、温度低下した場合には、錘５２の位置を径方向外側へ移動させて慣性モーメントを大きくすることができる。これにより、慣性モーメントの温度特性の傾きを負の傾きに変化させることができ、従って、慣性モーメントの温度補正を行うことができる。
【００４９】
ところで、本実施形態のてんぷ４０によれば、所定の離間間隔ａを空けて拘束部５３が配置されており、図５に示すように離間間隔ａの大小によって温度変化によるリム５０の自由端部５０ｂの移動量が変化する。つまり、離間間隔ａを大きくすると自由端部５０ｂの移動量が小さくなり、離間間隔ａを小さくすると自由端部５０ｂの移動量が大きくなる。即ち、離間間隔ａの大きさにより慣性モーメントの温度特性の傾きを変化させることができる。従って、あらかじめ必要な慣性モーメントの温度特性の傾きになるよう離間間隔ａを決定することにより、簡便に慣性モーメントの温度補正量を設定することができる。
【００５０】
また、本実施形態のてんぷ４０によれば、組み合わせるひげぜんまい４３の温度によるばね定数の変化率に合わせて、リム５０の拘束部５３の離間間隔ａが設定されている。即ち、あらかじめひげぜんまいのばね定数の温度による変化率と、リム５０の拘束部５３の離間間隔ａとリム５０の自由端部５０ｂの移動量の関係とを把握しておけば、組み合わせるひげぜんまい４３に合わせて慣性モーメントの温度特性の傾きを設定できるので、より正確な温度補正を行うことができる。
【００５１】
（慣性モーメントの温度補正量調整方法）
次に、上記したてんぷ４０を利用した、慣性モーメントの温度補正量調整方法について説明する。
ひげぜんまい４３は、形状寸法ばらつきやヤング率の温度特性のばらつきなどにより、ばね定数の温度特性にばらつきが生ずる。従って、温度補正を更に高精度に行おうとした場合、ひげぜんまい４３のばね定数の温度特性のばらつきに合わせて、てんぷ４０の慣性モーメントの温度特性の傾きを微調整する必要がある。
【００５２】
上記のように本実施形態のてんぷ４０によれば、リム５０の拘束部５３の離間間隔ａの大きさにより温度変化によるリム５０の自由端部５０ｂの移動量を変化させることができるので、ひげぜんまい４３とてんぷ４０を組み合せた後、離間間隔ａを調整することにより、更にてんぷ４０の慣性モーメントの補正量を微調整することができる。
【００５３】
具体的には、図７に示すように、てんぷの慣性モーメントの温度補正量を必要な補正量よりも若干小さくなるよう、あらかじめ拘束部５３の離間間隔ａを所定の間隔としておき、ひげぜんまい４３と組合わせた後、温度に対する歩度を測定する。前記のように慣性モーメントの温度補正量は小さめに設定しているため、温度に対する歩度は低温で若干進み、高温で若干遅れとなる（図７Ｃ０）。
【００５４】
ここで、図６（ａ）のように、リム５０の自由端部５０ｂ寄りの隣接する拘束部５３の中間位置に追加拘束部５３ａを追加すると、歩度の温度特性の傾きは小さくなる（図７Ｃ１）。あるいは、図６（ｂ）のように、リム５０の固定端部５０ａ寄りの隣接する拘束部５３の中間位置に追加拘束部５３ｂを追加すると、歩度の温度特性の傾きは更に小さくなる（図７Ｃ２）。このように、最終的には図７Ｃ３のように歩度の温度特性が平らになるよう拘束部を追加していく。
【００５５】
以上のように、追加する拘束部５３の位置をリム５０の固定端部５０ａ寄りにすると自由端部５０ｂの移動量の増加量が大きく、リム５０の自由端部５０ｂ寄りにすると自由端部５０ｂの移動量の増加分が小さくなるため、慣性モーメントの温度補正量を細かく微調整することができ、時計の使用温度範囲内での最適な歩度の設定を行うことができる。
【００５６】
なお、上述では、リム５０を周方向に沿って３分割した円弧状の帯状片（第１円弧部４０ａ、第２円弧部４０ｂ、第３円弧部４０ｃ）のうち、全ての帯状片が離間間隔ａの間隔で形成される拘束部５３を有する場合について説明した。しかし、帯状片毎に拘束部５３の離間間隔が異なるように形成することもできる。その場合は、図２に示すように、第１円弧部４０ａは上述のように離間間隔ａで拘束部５３が形成され、第２円弧部４０ｂは離間間隔ｂで拘束部５３が形成され、更に第３円弧部４０ｃは離間間隔ｃで拘束部５３が形成される。これら間隔ａ、間隔ｂ、間隔ｃをそれぞれ別個に調整することで、自由端の変形量における帯状片同士のバラツキを抑制することができ、変形量のバラツキによる回転バランスの劣化を防止できるようになる。
【００５７】
なお、上述では、リム５０を周方向に沿って３分割した場合を説明したが、分割数が２以上の自然数であって、それぞれの円弧部の自由端が温度変化により変形できるような分割数であればよい。この場合、それぞれの円弧部は回転軸Ｏ回りに回転対称に均等配置されていることが好ましい。
【００５８】
特に、従来のチラねじを用いた方法とは異なり、リム５０の拘束部５３を追加するだけの簡便な作業で温度補正を高精度に行えるので、その調整作業が容易である。
また、拘束部５３を追加して慣性モーメントの温度補正量を調整したとしても、慣性モーメント自体が変化することがなく、且つ、てんぷ４０の重心位置も変化しないため、回転バランスも低下させ難い。従って、従来のチラねじを利用する場合とは異なり、歩度や回転バランスの再調整の必要がない。
【００５９】
また、本実施形態のムーブメント１０によれば、振動周期の温度依存性が抑制され、温度変化によって歩度が変化し難い上記したてんぷ４０を具備しているので、誤差の少ない高品位なムーブメントとすることができる。
また、本実施形態の機械式時計１によれば、温度変化によって歩度が変化し難い上記したムーブメント１０を具備しているので、誤差の少ない高品位な時計とすることができる。
【符号の説明】
【００６０】
Ｏ…回転軸
１…機械式時計
１０…ムーブメント（時計用ムーブメント）
２２…香箱車
３０…脱進機構
４０…てんぷ
４１…てん真
４２…てん輪
４３…ひげぜんまい
４４…ひげ玉
５０…リム
５１…連結アーム
５２…錘
５３…拘束部
５３ａ、５３ｂ…追加拘束部
５４…第１リム
５５…第２リム
【図１】
2014142325.tif 000004
【図２】
2014142325.tif 000005
【図３】
2014142325.tif 000006
【図４】
2014142325.tif 000007
【図５】
2014142325.tif 000008
【図６】
2014142325.tif 000009
【図７】
2014142325.tif 000010